【手続補正書】
【提出日】令和3年3月23日(2021.3.23)
【手続補正１】
【補正対象書類名】特許請求の範囲
【補正対象項目名】全文
【補正方法】変更
【補正の内容】
【特許請求の範囲】
【請求項１】
所定条件の成立に基づいて抽選を実行し、該抽選の結果に応じて利益を付与する遊技機であって、
前記抽選の結果に対応する演出が表示される表示装置と、
前記抽選を実行し、遊技の進行を制御する遊技制御手段と、
前記抽選の結果に基づいて、前記表示装置にて演出図柄を変動表示する制御を行う演出制御手段と、
を備え、
前記表示装置は、演出図柄が変動表示されうる複数の表示領域を有し、
前記複数の表示領域には、前記抽選の結果に対応して複数桁の演出図柄による第１の演出図柄変動が表示される第１表示領域と、前記第１の演出図柄変動とは異なる態様でありながら前記抽選の結果に対応して前記複数桁と同じ桁数の演出図柄による第２の演出図柄変動が表示される第２表示領域とが含まれ、
前記第１の演出図柄変動及び前記第２の演出図柄変動は、並行して進行するように前記演出制御手段により制御されるものであり、
前記第１の演出図柄変動及び前記第２の演出図柄変動の結果表示は、各演出図柄変動で停止表示する演出図柄組み合わせを互いに対応する図柄組み合わせにすることで、前記抽選の結果として同一の結果を提示するものであり、
前記第１表示領域及び前記第２表示領域は、前記第１の演出図柄変動及び前記第２の演出図柄変動が前記表示装置の画面上で同時に視認できるように設定された表示領域であり、
夫々の演出図柄変動の進行過程における動的表示の態様は、前記第１の演出図柄変動と前記第２の演出図柄変動とで相違するものであり、
前記第１の演出図柄変動に対応する動的表示の態様は、該第１の演出図柄変動を構成する少なくとも一の演出図柄に特定の装飾画像が付加される高装飾動的表示態様とされる一方で、前記第２の演出図柄変動に対応する動的表示の態様は、該第２の演出図柄変動を構成する全ての演出図柄に前記特定の装飾画像が付加されない低装飾動的表示態様とされ、
さらに、前記第１表示領域と前記第２表示領域は、大きさが異なるものであり、
さらに、前記演出制御手段は、
前記第１の演出図柄変動及び前記第２の演出図柄変動を並行して進行させるなかで、前記第１の演出図柄変動及び前記第２の演出図柄変動のうちいずれか一方の演出図柄変動の進行に対応する演出音を抑制して出力し、他方の演出図柄変動の進行に対応する演出音を抑制せずに出力することを可能とする演出音限定出力手段を備えることを特徴とする遊技機。
【請求項２】
所定条件の成立に基づいて抽選を実行し、該抽選の結果に応じて利益を付与する遊技機であって、
前記抽選の結果に対応する演出が表示される表示装置と、
前記抽選を実行し、遊技の進行を制御する遊技制御手段と、
前記抽選の結果に基づいて、前記表示装置にて演出図柄を変動表示する制御を行う演出制御手段と、
を備え、
前記表示装置は、演出図柄が変動表示されうる複数の表示領域を有し、
前記複数の表示領域には、前記抽選の結果に対応して複数桁の演出図柄による第１の演出図柄変動が表示される第１表示領域と、前記第１の演出図柄変動とは異なる態様でありながら前記抽選の結果に対応して前記複数桁と同じ桁数の演出図柄による第２の演出図柄変動が表示される第２表示領域とが含まれ、
前記第１の演出図柄変動及び前記第２の演出図柄変動は、並行して進行するように前記演出制御手段により制御されるものであり、
前記第１の演出図柄変動及び前記第２の演出図柄変動の結果表示は、各演出図柄変動で停止表示する演出図柄組み合わせを互いに対応する図柄組み合わせにすることで、前記抽選の結果として同一の結果を提示するものであり、
前記第１表示領域及び前記第２表示領域は、前記第１の演出図柄変動及び前記第２の演出図柄変動が前記表示装置の画面上で同時に視認できるように設定された表示領域であり、
夫々の演出図柄変動の進行過程における動的表示の態様は、前記第１の演出図柄変動と前記第２の演出図柄変動とで相違するものであり、
前記第１の演出図柄変動に対応する動的表示の態様は、該第１の演出図柄変動を構成する少なくとも一の演出図柄に特定の装飾画像が付加される高装飾動的表示態様とされる一方で、前記第２の演出図柄変動に対応する動的表示の態様は、該第２の演出図柄変動を構成する全ての演出図柄に前記特定の装飾画像が付加されない低装飾動的表示態様とされ、
さらに、前記第１表示領域と前記第２表示領域は、大きさが異なるものであり、
さらに、前記演出制御手段は、
前記第１の演出図柄変動及び前記第２の演出図柄変動を並行して進行させるなかで、前記第１の演出図柄変動及び前記第２の演出図柄変動のうち前記低装飾動的表示態様とされる前記第２の演出図柄変動の進行に対応する演出音の出力のみを抑制して出力する演出音限定出力手段を備えることを特徴とする遊技機。
【請求項３】
所定条件の成立に基づいて抽選を実行し、該抽選の結果に応じて利益を付与する遊技機であって、
前記抽選の結果に対応する演出が表示される表示装置と、
前記抽選を実行し、遊技の進行を制御する遊技制御手段と、
前記抽選の結果に基づいて、前記表示装置にて演出図柄を変動表示する制御を行う演出制御手段と、
を備え、
前記表示装置は、演出図柄が変動表示されうる複数の表示領域を有し、
前記複数の表示領域には、前記抽選の結果に対応して複数桁の演出図柄による第１の演出図柄変動が表示される第１表示領域と、前記第１の演出図柄変動とは異なる態様でありながら前記抽選の結果に対応して前記複数桁と同じ桁数の演出図柄による第２の演出図柄変動が表示される第２表示領域とが含まれ、
前記第１の演出図柄変動及び前記第２の演出図柄変動は、並行して進行するように前記演出制御手段により制御されるものであり、
前記第１の演出図柄変動及び前記第２の演出図柄変動の結果表示は、各演出図柄変動で停止表示する演出図柄組み合わせを互いに対応する図柄組み合わせにすることで、前記抽選の結果として同一の結果を提示するものであり、
前記第１表示領域及び前記第２表示領域は、前記第１の演出図柄変動及び前記第２の演出図柄変動が前記表示装置の画面上で同時に視認できるように設定された表示領域であり、
夫々の演出図柄変動の進行過程における動的表示の態様は、前記第１の演出図柄変動と前記第２の演出図柄変動とで相違するものであり、
前記第１の演出図柄変動に対応する動的表示の態様は、該第１の演出図柄変動を構成する少なくとも一の演出図柄に特定の装飾画像が付加される高装飾動的表示態様とされる一方で、前記第２の演出図柄変動に対応する動的表示の態様は、該第２の演出図柄変動を構成する全ての演出図柄に前記特定の装飾画像が付加されない低装飾動的表示態様とされ、
さらに、前記第１表示領域と前記第２表示領域は、大きさが異なるものであり、
さらに、前記演出制御手段は、
前記第１の演出図柄変動及び前記第２の演出図柄変動を並行して進行させるなかで、前記第１の演出図柄変動及び前記第２の演出図柄変動のうち前記高装飾動的表示態様とされる前記第１の演出図柄変動だけに対応する演出音を出力可能な演出音限定出力手段を備えることを特徴とする遊技機。
【手続補正２】
【補正対象書類名】明細書
【補正対象項目名】０００４
【補正方法】変更
【補正の内容】
【０００４】
近年では、遊技の興趣を高めるために多彩な描画演出が可能となっているが、従来と同様の態様では面白みに欠け、遊技興趣を低下させてしまうおそれがあった。
【手続補正３】
【補正対象書類名】明細書
【補正対象項目名】０００６
【補正方法】変更
【補正の内容】
【０００６】
上述した目的を達成するため、本発明は、
所定条件の成立に基づいて抽選を実行し、該抽選の結果に応じて利益を付与する遊技機であって、
前記抽選の結果に対応する演出が表示される表示装置と、
前記抽選を実行し、遊技の進行を制御する遊技制御手段と、
前記抽選の結果に基づいて、前記表示装置にて演出図柄を変動表示する制御を行う演出制御手段と、
を備え、
前記表示装置は、演出図柄が変動表示されうる複数の表示領域を有し、
前記複数の表示領域には、前記抽選の結果に対応して複数桁の演出図柄による第１の演出図柄変動が表示される第１表示領域と、前記第１の演出図柄変動とは異なる態様でありながら前記抽選の結果に対応して前記複数桁と同じ桁数の演出図柄による第２の演出図柄変動が表示される第２表示領域とが含まれ、
前記第１の演出図柄変動及び前記第２の演出図柄変動は、並行して進行するように前記演出制御手段により制御されるものであり、
前記第１の演出図柄変動及び前記第２の演出図柄変動の結果表示は、各演出図柄変動で停止表示する演出図柄組み合わせを互いに対応する図柄組み合わせにすることで、前記抽選の結果として同一の結果を提示するものであり、
前記第１表示領域及び前記第２表示領域は、前記第１の演出図柄変動及び前記第２の演出図柄変動が前記表示装置の画面上で同時に視認できるように設定された表示領域であり、
夫々の演出図柄変動の進行過程における動的表示の態様は、前記第１の演出図柄変動と前記第２の演出図柄変動とで相違するものであり、
前記第１の演出図柄変動に対応する動的表示の態様は、該第１の演出図柄変動を構成する少なくとも一の演出図柄に特定の装飾画像が付加される高装飾動的表示態様とされる一方で、前記第２の演出図柄変動に対応する動的表示の態様は、該第２の演出図柄変動を構成する全ての演出図柄に前記特定の装飾画像が付加されない低装飾動的表示態様とされ、
さらに、前記第１表示領域と前記第２表示領域は、大きさが異なるものであり、
さらに、前記演出制御手段は、
前記第１の演出図柄変動及び前記第２の演出図柄変動を並行して進行させるなかで、前記第１の演出図柄変動及び前記第２の演出図柄変動のうちいずれか一方の演出図柄変動の進行に対応する演出音を抑制して出力し、他方の演出図柄変動の進行に対応する演出音を抑制せずに出力することを可能とする演出音限定出力手段を備える
ことを特徴とする。
また、所定条件の成立に基づいて抽選を実行し、該抽選の結果に応じて利益を付与する遊技機であって、
前記抽選の結果に対応する演出が表示される表示装置と、
前記抽選を実行し、遊技の進行を制御する遊技制御手段と、
前記抽選の結果に基づいて、前記表示装置にて演出図柄を変動表示する制御を行う演出制御手段と、
を備え、
前記表示装置は、演出図柄が変動表示されうる複数の表示領域を有し、
前記複数の表示領域には、前記抽選の結果に対応して複数桁の演出図柄による第１の演出図柄変動が表示される第１表示領域と、前記第１の演出図柄変動とは異なる態様でありながら前記抽選の結果に対応して前記複数桁と同じ桁数の演出図柄による第２の演出図柄変動が表示される第２表示領域とが含まれ、
前記第１の演出図柄変動及び前記第２の演出図柄変動は、並行して進行するように前記演出制御手段により制御されるものであり、
前記第１の演出図柄変動及び前記第２の演出図柄変動の結果表示は、各演出図柄変動で停止表示する演出図柄組み合わせを互いに対応する図柄組み合わせにすることで、前記抽選の結果として同一の結果を提示するものであり、
前記第１表示領域及び前記第２表示領域は、前記第１の演出図柄変動及び前記第２の演出図柄変動が前記表示装置の画面上で同時に視認できるように設定された表示領域であり、
夫々の演出図柄変動の進行過程における動的表示の態様は、前記第１の演出図柄変動と前記第２の演出図柄変動とで相違するものであり、
前記第１の演出図柄変動に対応する動的表示の態様は、該第１の演出図柄変動を構成する少なくとも一の演出図柄に特定の装飾画像が付加される高装飾動的表示態様とされる一方で、前記第２の演出図柄変動に対応する動的表示の態様は、該第２の演出図柄変動を構成する全ての演出図柄に前記特定の装飾画像が付加されない低装飾動的表示態様とされ、
さらに、前記第１表示領域と前記第２表示領域は、大きさが異なるものであり、
さらに、前記演出制御手段は、
前記第１の演出図柄変動及び前記第２の演出図柄変動を並行して進行させるなかで、前記第１の演出図柄変動及び前記第２の演出図柄変動のうち前記低装飾動的表示態様とされる前記第２の演出図柄変動の進行に対応する演出音の出力のみを抑制して出力する演出音限定出力手段を備える
ことを特徴とする。
また、所定条件の成立に基づいて抽選を実行し、該抽選の結果に応じて利益を付与する遊技機であって、
前記抽選の結果に対応する演出が表示される表示装置と、
前記抽選を実行し、遊技の進行を制御する遊技制御手段と、
前記抽選の結果に基づいて、前記表示装置にて演出図柄を変動表示する制御を行う演出制御手段と、
を備え、
前記表示装置は、演出図柄が変動表示されうる複数の表示領域を有し、
前記複数の表示領域には、前記抽選の結果に対応して複数桁の演出図柄による第１の演出図柄変動が表示される第１表示領域と、前記第１の演出図柄変動とは異なる態様でありながら前記抽選の結果に対応して前記複数桁と同じ桁数の演出図柄による第２の演出図柄変動が表示される第２表示領域とが含まれ、
前記第１の演出図柄変動及び前記第２の演出図柄変動は、並行して進行するように前記演出制御手段により制御されるものであり、
前記第１の演出図柄変動及び前記第２の演出図柄変動の結果表示は、各演出図柄変動で停止表示する演出図柄組み合わせを互いに対応する図柄組み合わせにすることで、前記抽選の結果として同一の結果を提示するものであり、
前記第１表示領域及び前記第２表示領域は、前記第１の演出図柄変動及び前記第２の演出図柄変動が前記表示装置の画面上で同時に視認できるように設定された表示領域であり、
夫々の演出図柄変動の進行過程における動的表示の態様は、前記第１の演出図柄変動と前記第２の演出図柄変動とで相違するものであり、
前記第１の演出図柄変動に対応する動的表示の態様は、該第１の演出図柄変動を構成する少なくとも一の演出図柄に特定の装飾画像が付加される高装飾動的表示態様とされる一方で、前記第２の演出図柄変動に対応する動的表示の態様は、該第２の演出図柄変動を構成する全ての演出図柄に前記特定の装飾画像が付加されない低装飾動的表示態様とされ、
さらに、前記第１表示領域と前記第２表示領域は、大きさが異なるものであり、
さらに、前記演出制御手段は、
前記第１の演出図柄変動及び前記第２の演出図柄変動を並行して進行させるなかで、前記第１の演出図柄変動及び前記第２の演出図柄変動のうち前記高装飾動的表示態様とされる前記第１の演出図柄変動だけに対応する演出音を出力可能な演出音限定出力手段を備える
ことを特徴とする。